(57)【特許請求の範囲】
【請求項１】
天板が、左右脚体上に支持された前側の固定天板と、該前側の固定天板より小型に形成され、かつ前側の固定天板に対して前後方向に移動可能に支持された後側の可動天板とに分割され、前記後側の可動天板の下方に、該可動天板が後方に移動された時に上面が開口する収納部が形成されており、ＯＡ機器等が載置されていない後側の前記小型の可動天板を後方に移動することで、コード類を収納出来るようにしたことを特徴とする机。
【請求項２】
前記固定天板の後部が平面略凹状に切欠され、可動天板が、該切欠部に嵌合するようになっている請求項１に記載の机。
【請求項３】
固定天板の切欠部と可動天板とが、後方に向かい幅広の台形状に形成されている請求項２に記載の机。
【発明の詳細な説明】
【０００１】
【発明の属する技術分野】
本発明は、左右脚体上に支持された天板を、前記脚体に固定された固定天板と、前後方向に移動可能な可動天板とに分割し、可動天板を前後移動させて天板下方のコード収納部よりコードの取り出しを可能とした机に関する。
【０００２】
【従来の技術】
従来、この種の机としては、例えば特公平３−２８９３２号公報等が開示されている。
【０００３】
ここで、前者の机を図５に基づいて説明すると、この机の天板０１は、奥行の小さな後方天板０２と、奥行の大きな前方天板０３とに前後方向に２分割されており、前記後方天板０２は脚体０４に固定され、前記前方天板０３は脚体０４に対して前後方向に移動可能に取付けられている。そして前記前方天板０３下方には、該前方天板０３を前方に移動させることで上面が開口されるコード類の収納部０５が形成されており、前記収納部０５より延出されるコード類０６等の上下方向配設は、左右脚体０４内に設けられた挿通路０７を介して行われている。
【０００４】
【発明が解決しようとする課題】
しかしながら、このような机において、ＯＡ機器等が天板０１上に設置される場合、通常ＯＡ機器等は奥行の大きな前側天板０３上に設置されることが多く、この状態でコード類０６の収納部０５の上部を開口するためには、前方天板０３をＯＡ機器等が乗った状態のまま前後移動させなければならず、移動が困難であるとともに、移動中にＯＡ機器等が落下して破損したり、コード類０６等が引張られてコネクタ等が破損する恐れがあった。
【０００５】
また、前側天板０３を移動することで前記収納部０５の上面が開口されるようになっているため、前記収納部０５を引き出しや使用者の足入れ等の邪魔にならない机の後方に配設しようとすると、前記前側天板０３がより大きくなってより移動が困難になるといった問題点があった。
【０００６】
本発明はこのような問題点に着目してなされたもので、コード類の収納部を引き出しや使用者の足入れの邪魔にならない位置に配設するとともにその上部を容易に開口することが出来る机を提供することを目的としている。
【０００７】
【課題を解決するための手段】
上記目的を達成するために、本発明の机は、天板が、左右脚体上に支持された前側の固定天板と、該前側の固定天板より小型に形成され、かつ前側の固定天板に対して前後方向に移動可能に支持された後側の可動天板とに分割され、前記後側の可動天板の下方に、該可動天板が後方に移動された時に上面が開口する収納部が形成されており、ＯＡ機器等が載置されていない後側の前記小型の可動天板を後方に移動することで、コード類を収納出来るようにしたことを特徴としている。
この特徴によれば、ＯＡ機器等が載置されていない後側の可動天板を後方に移動することで、コード類の収納部の上面を容易に開放できるので、コードの収納時にＯＡ機器等が落下して破損されるようなことがない。また、前記収納部を、引き出しや使用者の足入れの邪魔にならない机の後方に配設することが可能になる。
【０００８】
本発明の机は、前記固定天板の後部が平面略凹状に切欠され、可動天板が、該切欠部に嵌合するようになっていることが好ましい。
このようにすることで、可動天板が左右方向に細長の形状になることがないので可動天板自体の剛性を保ち、その変形量を最小限にできる。また、机脇に立っている人の身体が両天板間に挟まれるといった恐れがなくなる。
【０００９】
本発明の机は、固定天板の切欠部と可動天板とが、後方に向かい幅広の台形状に形成されていることが好ましい。
このようにすることで、固定天板に対して可動天板を移動させ易くするだけでなく、両天板の密着度が高まる。
【００１０】
【発明の実施の形態】
以下、本発明の実施例を図面に基づいて説明すると、まず図１には、本発明の実施例の机の使用状態を斜め後方から見た時の斜視図が示されており、この机１は、天板２と、該天板２を支持する脚体３と、天板１の後方下面を覆う外側後面板４とからなる。この天板２上に例えばキーボード５、パソコン本体６、電話機７等が載置されている状態が示されている。
【００１１】
前記天板２は、脚体３上に支持固定され、後部が略凹形に切欠された前側天板２ａと、前記略凹形の切欠部に嵌合し、かつ前記前側天板２ａに対して後方に移動可能に設けられた後側天板２ｂとからなる。この後側天板２ｂは、特に図３に示されるように、前側天板２ａの後部に突設されたガイドレール８の外周に摺動自在に嵌挿される摺動部材９を介して前記前側天板２ａに取付けられている。
【００１２】
前記天板２の後部下方には、図１、２に示されるような開口穴１０を有する補強板１１が左右両脚体３、３間に設けられている。この補強板１１の後端は、特に図２に示されるように外側後面板４より後方に突出されている。
【００１３】
外側後面板４の内側には、所定距離離間して別の後面板１２が左右両脚体３、３間に配設され、前記後面板４と後面板１２との間にコード類の収納部が形成されるようになっている。この収納部内には、左右にコード類の挿通口１３、１３が形成された上部区画板１４と下部区画板１５とが略水平に配設され、前記収納部内が上部区画室１６ａと下部区画室１６ｂとに区画されている。そして前記上部区画室１６ａは補強板１１の開口部１０の下方に任意に形成されるので、後側天板２ｂの後方移動により、その上面が前記開口部１０を介して、外部と連通されるようになっている。
【００１４】
外側後面板４は、それぞれ一側辺が脚体３の後端内面に枢着された手前方向に開放可能な開閉扉１７、１７と、該左右の開閉扉１７、１７間に配設された固定板１８とで構成されている。この開閉扉１７は、それぞれ上、下部区画板１４、１５に設けられた挿通口１３の後方に設けられているので、特に図２に示されるような上下方向の配線を外部より容易に行えるようになっている。
【００１５】
後側天板２ｂの前方端部には、特に図３、４に示されるような、上面に複数の切欠爪２１が形成されたカバー体１９が設けられている。前記切欠爪２１は、それぞれ下方向に強く押圧することにより破断除去できるようになっているので、必要に応じてカバー体１９の上面にコード３１の挿通口を形成することができるようになっている。
【００１６】
後側天板２ｂ下面には、略凹状の切欠凹部２２が形成されており、該切欠凹部２２内には、弾性変形可能な板バネ２３がビス２４を介して固設された固定部材２５が固着されている。尚、この固定部材２５の前方上面には前記板バネ２３が下方に弾性変形出来るようにテーパ面２５ａが形成されている。
【００１７】
また、前側天板２ａの後端下面には、前記カバー体１９に対応して切欠凹部２６が形成され、そこには前記板バネ２３と係合可能な係止部材２７がビス２８により取付けられている。
【００１８】
係止部材２７の先端には下方に突出する係止片２７ａが形成されている。この係止片２７ａは、図４中２点鎖線で示されるように、後側天板２ｂが前側天板２ａに当接されている時に、板バネ２３の先端に形成された係止片２３ａと係合し、両天板２ａ、２ｂとを連結固定する働きをする。
【００１９】
また、カバー体１９には、下端が常に板バネ２３の先端部上面に当接する操作ボタン２９を上下方向に摺動可能に支持する案内筒部３０が形成されている。
【００２０】
このように後側天板２ｂは、前側天板２ａに当接されている時は、図４中２点鎖線で示されるように、係止部材２７の係止片２７ａと板バネ２３の係止片２３ａとが係合されているので、妄りに後方に移動しないように固定されている。そして前記後側天板２ｂを移動させるには、操作ボタン２９を下方に押圧することで、板バネ２３がテーパ面２５ａに沿うように弾性変形され、係止部材２７との係合が逸脱されるので、後側天板２ｂの移動が可能となる。
【００２１】
また、前述のように後側天板２ｂを後方に移動させることで、コード３１の収納部としての上部区画室１６ｂの上面が開口されるようになっているので、前側天板２ａ上に載置されたパソコン６、電話機７等のコード３１を天板２下面に容易に収納することが出来る。
【００２２】
さらに、カバー体１９の切欠爪２１を破断除去することにより、コード３１の挿通口を大小に形成出来るので、前述のように前、後側天板２ａ、２ｂ間にコード３１を挿通させたまま、前記後側天板２ｂを前側天板２ａの後部に限りなく密着させ、開口部１０を閉塞することが出来る。
【００２３】
上部区画室１６ａ内に収納させたコード３１は、上部区画板１４に形成された挿通口１３を介して下部区画室１６ｂ内に挿通させ、さらに下部区画板１５に形成された挿通口１３を介して床面に挿通することが出来る。これら配線されたコード３１は通常、後面板としての開閉扉１７、及び固定板１８により覆われて外部から見えないようになっているので机１の外観が損われることがなく、また前記開閉扉１７を手前に開放することで配線処理を容易に行うことが出来るようになっている。
【００２４】
このように、本発明実施例の机にあっては、パソコン６や電話機７等が載置されていない後側天板２ｂが後方に移動可能に形成されているため、コード類の収納部の上面を容易に開放できるとともに、後側天板２ａの移動時に前記パソコン６や電話機７等が落下して破損するといった恐れがない。また、前記収納部を、引き出しや使用者の足入れの邪魔にならない机のより後方に配設することが可能になる。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
例えば、本実施例において後側天板は略台形状に形成されているが、この形状に限らず種々に変形可能である。
【００２７】
【発明の効果】
本発明は次の効果を奏する。
【００２８】
（ａ）請求項１の発明によれば、ＯＡ機器等が載置されていない後側の可動天板を後方に移動することで、コード類の収納部の上面を容易に開放できるので、コードの収納時にＯＡ機器等が落下して破損されるようなことがない。また、前記収納部を、引き出しや使用者の足入れの邪魔にならない机の後方に配設することが可能になる。
【００２９】
（ｂ）請求項２の発明によれば、可動天板が左右方向に細長の形状になることがないので可動天板自体の剛性を保ち、その変形量を最小限にできる。また、机脇に立っている人の身体が両天板間に挟まれるといった恐れがなくなる。
【００３０】
（ｃ）請求項３の発明によれば、固定天板に対して可動天板を移動させ易くするだけでなく、両天板の密着度が高まる。
【００３１】
【図面の簡単な説明】
【図１】本発明の実施例の机の使用状態を、斜め後方から見た斜視図である。
【図２】図１のＡ−Ａ断面図である。
【図３】図１の要部拡大断面図である。
【図４】図３のＢ−Ｂ断面図である。
【図５】従来の机を示す斜視図である。
【符号の説明】
１            机
２            天板
２ａ          前側天板
２ｂ          後側天板
３            脚体
４            外側後面板
５            キーボード
６            パソコン
７            電話機
８            ガイドレール
９            摺動部材
１０            開口部
１１            補強板
１２            後面板
１３            挿通口
１４            上部区画板
１５            下部区画板
１６ａ          上部区画室（収納部）
１６ｂ          下部区画室（収納部）
１７            開閉扉
１８            固定板
１９            カバー体
２１            切欠爪
２２、２６      切欠凹部
２３            板バネ
２３ａ、２７ａ  係止片
２４、２８      ビス
２５            固定部材
２７            係合部材
２９            操作ボタン
３０            案内筒部
３１            コード
【図１】
0003547252.tif 000002
【図２】
0003547252.tif 000003
【図３】
0003547252.tif 000004
【図４】
0003547252.tif 000005
【図５】
0003547252.tif 000006